(57)【要約】【課題】  １つで複数の使用者（高齢者）に対応することができるようにする。【解決手段】  上がり框ＡＫに設置されるもので、段差部の下面側である土間部ＤＭに対して垂直に支持される２本の下面側垂直支柱部１１０Ａ、１１０Ｂと、段差部の上面側である上がり框ＡＫの上面ＡＫ１に対して垂直に支持される１本の上面側垂直支柱部１２０と、下面側垂直支柱部１１０Ａ、１１０Ｂのうちの１本の第１の下面側垂直支柱部１１０Ａと上面側支柱部１２０との上端を連結する上側横手すり部１３０と、上側横手すり部１３０より下方に位置し、第１の下面側垂直支柱部１１０Ａと上面側支柱部１２０との間に掛け渡され、両垂直支柱部１１０Ａ、１２０に沿って上下方向にスライド可能なスライド式横手すり部１４０とを備える。【選択図】      図１
2014062429.tif 000002
【特許請求の範囲】
【請求項１】
段差部の下面側に対して垂直に支持される下面側垂直支柱部と、段差部の上面側に対して垂直に支持される上面側垂直支柱部と、前記下面側垂直支柱部と前記上面側支柱部との上端を連結する上側横手すり部と、この上側横手すり部より下方に位置し、前記両垂直支柱部に掛け渡され、両垂直支柱部に沿って上下方向にスライド可能になったスライド式横手すり部とを具備したことを特徴とする段差部用手すり。
【請求項２】
前記スライド式横手すり部は、スライド範囲内の任意の位置で固定することができることを特徴とする請求項１記載の段差部用手すり。
【請求項３】
前記スライド式横手すり部は、前記上側横手すり部より横側に張り出していることを特徴とする請求項１又は２記載の段差部用手すり。
【発明の詳細な説明】
【技術分野】
【０００１】
本発明は、例えば、玄関の上がり框等の段差部で高齢者等が段差昇降時に身体を支える段差部用手すりに関する。
【背景技術】
【０００２】
高齢者や身障者或いは妊婦等にとって、階段の上がり框等の段差部を昇降する際に身体を支えることができる手すりがあると安全である。このため、種々の段差部用手すりが提案されている。
【０００３】
例えば、特開２０１２−０８７５０７号公報（特許文献１）では、『上がり框の上面に載置される水平部と、前記上がり框の前方にて前記水平部の前端から下方に延びる垂直部と、を有するベース部材と、土間と前記上がり框の下面との間に位置する上向きの歯を有し、前記ベース部材の前記垂直部に上下方向にスライド可能に取り付けられた締め付け部材と、前記ベース部材に支持された床側支柱と、前記土間上に支持された土間側支柱と、前記床側支柱と前記土間側支柱とに架け渡された手すり棒と、を備えた玄関段差昇降用手すり。』が提案されている。
【０００４】
【特許文献１】特開２０１２−０８７５０７号公報
【発明の開示】
【発明が解決しようとする課題】
【０００５】
しかしながら、特許文献１に記載された段差部用手すりでは、最も上側の横側の手すり棒と、その下側に位置する横側の手すり棒とは高さを変更することができるが、両手すり棒の間の間隔は変更することができない。すなわち、最も上側の手すり棒と、その下側に位置する手すり棒とは、連動して高さを変更することができるが、個々別々に高さを変更することができないのである。
例えば、一家庭に複数の高齢者がいる場合、それぞれに最適な手すりの高さは個々別々であるのに、手すりを一方の高齢者に適した高さに設定してしまうと、他の高齢者に適した高さの手すりを提供できないことがある。
【０００６】
これを解消するためには、手すりをそれぞれに最適な高さとした段差部用手すりを２組以上設置する必要がある。一般的な家庭の玄関では２組以上の段差部用手すりを設置するとはスペースの問題から現実的には不可能である。
このため、複数の高齢者がいる家庭では、各高齢者に最適な高さの手すりを設置するとはできなかったのである。
【０００７】
また、特許文献１に記載された段差部用手すりでは、最も上側の横側の手すり棒と、それ以外の横側の手すり棒は、すべて同じ垂直面上に位置するようになっている。このため、最も上側の手すり棒を握ろうとして手を滑らせた場合、下側に位置する手すり棒を咄嗟に握ることは非常に困難であった。
【０００８】
本発明は、上記事情に鑑みて創案されたもので、横側の手すりの高さを任意に変更することができ、しかも万が一手を滑らせてもより危険性の少ない段差部用手すりを提供することを目的としている。
【課題を解決するための手段】
【０００９】
本発明に係る段差部用手すりは、段差部の下面側に対して垂直に支持される下面側垂直支柱部と、段差部の上面側に対して垂直に支持される上面側垂直支柱部と、前記下面側垂直支柱部と前記上面側支柱部との上端を連結する上側横手すり部と、この上側横手すり部より下方に位置し、前記両垂直支柱部に掛け渡され、両垂直支柱部に沿って上下方向にスライド可能になったスライド式横手すり部とを備えている。
【００１０】
また、前記スライド式横手すり部は、前記上側横手すり部より横側に張り出している。
【発明の効果】
【００１１】
本発明に係る段差部用手すりは、上側横手すり部の高さを変更することなく、スライド式横手すり部の高さのみを変更することができるようになるので、例えば、一家庭に複数の高齢者がいても、１つ段差部用手すりでそれぞれの高齢者にとって最適な高さの手すりとすることができる。
【００１２】
また、スライド式横手すり部が上側横手すり部より横側に張り出していると、より危険性を少なくすることができる。さらに、横側に張り出したスライド式横手すり部があると、その部分で肘を支えつつ、上側横手すり部を手で掴むということが可能となる。
【図面の簡単な説明】
【００１３】
【図１】本発明の実施の形態に係る段差部用手すりの図面であって、同図（Ａ）は段差部である玄関の上がり框に設置された段差部用手すりの概略的側面図、同図（Ｂ）は概略的背面図、同図（Ｃ）は概略的平面図である。
【図２】本発明の実施の形態に係る段差部用手すりのスライド式横手すり部が最も上側に位置した状態の概略的側面図である。
【図３】本発明の実施の形態に係る段差部用手すりのスライド式横手すり部が最も下側に位置した状態の概略的側面図である。
【図４】本発明の他の実施の形態に係る段差部用手すりの図面であって、同図（Ａ）は段差部である玄関の上がり框に設置された段差部用手すりの概略的側面図、同図（Ｂ）は概略的背面図、同図（Ｃ）は概略的平面図である。
【発明を実施するための形態】
【００１４】
本発明の実施の形態に係る段差部用手すり１００は、玄関等の上がり框ＡＫに設置されるものであって、段差部の下面側である土間部ＤＭに対して垂直に支持される２本の下面側垂直支柱部１１０Ａ、１１０Ｂと、段差部の上面側である上がり框ＡＫの上面ＡＫ１に対して垂直に支持される１本の上面側垂直支柱部１２０と、前記下面側垂直支柱部１１０Ａ、１１０Ｂのうちの１本の第１の下面側垂直支柱部１１０Ａと前記上面側支柱部１２０との上端を連結する上側横手すり部１３０と、この上側横手すり部１３０より下方に位置し、前記第１の下面側垂直支柱部１１０Ａと前記上面側支柱部１２０との間に掛け渡され、両垂直支柱部１１０Ａ、１２０に沿って上下方向にスライド可能になったスライド式横手すり部１４０とを備えている。
【００１５】
前記下面側垂直支柱部１１０Ａ、１１０Ｂは、段差部の下面側である土間部ＤＭにセットされる平板状のベース板１５０に立設された支柱用固定管１５１に挿入した状態で固定される。
【００１６】
前記ベース板１５０は、平面視長方形状のスチール板であって、対向した短辺側の中央に持ち運び等に手を入れることができる長方形状の開口部１５２が開設されている。このベース板１５０の一方の長辺側の縁部は、折曲部１５３として上方向に向かって折曲形成されている。この折曲部１５３は、上がり框ＡＫの垂直面ＡＫ２に当接することでベース板１５０の位置決めを行うものである。
【００１７】
また、このベース板１５０の四隅には前記支柱用固定管１５１を固定するための管固定用ビス孔１５４が形成されている。
さらに、このベース板１５０には、ベース板１５０自身を土間部ＤＭに取付固定するための取付用ビス孔１５５が複数個形成されている。
【００１８】
前記支柱用固定管１５１は、後述する下面側垂直支柱部１１０Ａ、１１０Ｂが挿入される一端が閉じられた円筒形状の筒体である。この支柱用固定管１５１の側面には、挿入された下面側垂直支柱部１１０Ａ、１１０Ｂを固定する固定用ねじのための雌ねじ（図示省略）が適宜個形成されている。また、閉じられた一端側には、前記管固定用ビス孔１５４と対応したビス用孔（図示省略）が開設されており、このビス用孔を介して、ビスをベース板１５０の裏面側から管固定用ビス孔１５４に螺合させることで、支柱用固定管１５１をベース板１５０に固定する。
なお、前記支柱用固定管１５１は、２つがベース板１５０の短辺側に沿うようにして隅部に立設した状態で固定される。
【００１９】
２つの支柱用固定管１５１に挿入して固定される２本の下面側垂直支柱部１１０Ａ、１１０Ｂは、前記折曲部１５３から離れた側に位置する第１の下面側垂直支柱部１１０Ａと、折曲部１５３に近い側に位置する第２の下面側垂直支柱部１１０Ｂとである。
第１の下面側垂直支柱部１１０Ａの方が、第２の下面側垂直支柱部１１０Ｂより長く設定されている。
【００２０】
一方、上面側垂直支柱部１２０は、２本の管体を連結したものであり、長さを自在に調節することができるようになっている。かかる上面側垂直支柱部１２０の下端部にはゴムクッション１２１が装着されている。このゴムクッション１２１は、上がり框ＡＫの上面ＡＫ１を保護するためのものである。
なお、上面側垂直支柱部１２０が長さを自在に変更することができるようになっているのは、上がり框ＡＫの高さに応じて変更することができるようにするためである。
【００２１】
この上面側垂直支柱部１２０と、前記第１の下面側垂直支柱部１１０Ａとの間には下側横手すり部１６０が掛け渡されている。しかも、この下側横手すり部１６０は、第２の下面側垂直支柱部１１０Ｂの上端にも連結されている。なお、この下側横手すり部１６０は、横向きのＴ字型アングル１６１を介して前記上面側垂直支柱部１２０、前記第１の下面側垂直支柱部１１０Ａに、縦向きのＴ字型アングル１６２を介して前記第２の下面側垂直支柱部１１０Ｂにそれぞれ連結されている。
【００２２】
前記上側横手すり部１３０は、第１の下面側垂直支柱部１１０Ａの上端と、上面側垂直支柱部１２０の上端とを連結するものである。かかる上側横手すり部１３０は、両端が下向きなっており、それぞれ第１の下面側垂直支柱部１１０Ａの上端、上面側垂直支柱部１２０の上端と連結される。
また、この上側横手すり部１３０は、第１の下面側垂支柱部１１０Ａ寄りの部分が上側傾斜部１３１となり、この上側傾斜部１３１から上面側垂直支柱部１２０寄りの部分が上側水平部１３２となっている。
【００２３】
かかる上側横手すり部１３０は、連結アングル１３５によって、第１の下面側垂直支柱部１１０Ａ、上面側垂直支柱部１２０のそれぞれ上端と連結される。なお、この状態で上側横手すり部１３０の上側水平部１３２は、土間部ＤＭや上がり框ＡＫの上面ＡＫ１に対して水平になっている。
【００２４】
前記スライド式手横手すり部１４０は、手すり本体部１４１と、この手すり本体部１４１の両端に設けられるスライド用アングル１４２とを有している。
前記手すり本体部１４１は、前記上側横手すり部１３０と同様に、第１の下面側垂支柱部１１０Ａ寄りの部分がスライド側傾斜部１４１Ａとなり、このスライド側傾斜部１４１Ａから上面側垂直支柱部１２０寄りの部分がスライド側水平部１４１Ｂとなっている。従って、前記スライド側傾斜部１４１Ａは上側傾斜部１３１と、また、スライド側水平部１４１Ｂは上側水平部１３２とそれぞれ平行になっている。
【００２５】
前記前記スライド用アングル１４２は、第１の下面側垂直支柱部１１０Ａと上面側垂直支柱部１２０とが挿入される円柱状の支柱挿入部１４２Ａと、この支柱挿入部１４２Ａから横方向に突出する手すり連結部１４２Ｂとが一体に形成されたものである。
このスライド用アングル１４２の支柱挿入部１４２Ａの側面には、挿入された支柱部１１０Ａ、１２０を固定する固定用ねじのための雌ねじ（図示省略）が適宜個形成されている。
このため、スライド式横手すり部１４０は、この固定用ねじを使ってスライド範囲内の任意の位置で固定することができる。なお、スライド可能範囲は、第１の下面側垂直支柱部１１０Ａの上端と下側横手すり部１６０との間の範囲になる。
なお、図２はスライド式横手すり部１４０が最も上側に位置した状態を、図３はスライド式横手すり部１４０が最も下側に位置した状態をそれぞれ示している。
【００２６】
また、このスライド用アングル１４２の手すり連結部１４２Ｂは、図１（Ｂ）等に示すように、横方向に突出しているので、スライド用アングル１４２に連結された手すり本体部１４１は、前記上側横手すり部１３０や下側横手すり部１６０より横側に張り出すことになる。
なお、このスライド式横手すり部１４０の横側への張り出しは、ベース板１５０の内側に向かって張り出すようにする。すなわち、この段差部用手すり１００を使用する者が、土間部ＤＭから上がり框ＡＫに上がる場合はベース板１５０の上に立った状態で、上がり框ＡＫから土間部ＤＭに降りる場合にはベース板１５０の上に降り立つ状態で使用するようになっている。
【００２７】
このように構成された段差部用手すり１００であると、上側横手すり部１３０の高さを変更することなく、スライド式横手すり部１４０の高さのみを変更することができるようになる。
【００２８】
上述した段差部用手すり１００では、第２の下面側垂直支柱部１１０Ｂが下側横手すり部１６０までしかなかったが、図４に示すように、第２の下面側垂直支柱部１１０Ｂが下側横手すり部１６０を超えて、上側横手すり部１３０まで延長させることも可能である。
このように第２の下面側垂直支柱部１１０Ｂが延長されたとしても、スライド式横手すり部１４０は横方向に突出しているため、スライド式横手すり部１４０の上下方向のスライドが阻害されることはない。
第２の下面側垂直支柱部１１０Ｂが上側横手すり部１３０まで延長されることで、より段差部用手すり１００全体の強度を向上させることができる。
【００２９】
なお、上述した２つの実施の形態に係る段差部用手すり１００は、第１の下面側垂直支柱部１１０Ａ、第２の下面側垂直支柱部１１０Ｂ及び上面側垂直支柱部１２０を変更することで、全体の高さを変更することができる。
【００３０】
なお、上側横手すり部１３０は、第１の下面側垂直支柱部１１０Ａ、第２の下面側垂直支柱部１１０Ｂ、上面側垂直支柱部１２０と別体になっているので、連結アングル１３５から取り外して交換することができる。例えば、この上側横手すり部１３０をより強烈な色彩のものに変更することが可能である。上側横手すり部１３０を強烈な色彩のものに変更することによって、弱視者に対して段差部用手すり１００の存在をより明確に示すことができる。
【００３１】
また、第１の下面側垂直支柱部１１０Ａ、第２の下面側垂直支柱部１１０Ｂ、上面側垂直支柱部１２０と、上側横手すり部１３０とを一体化した部材を使用することも可能である。ただし，スライド式横手すり部１４０は上下方向のスライドを確保するために、これらと一体にすることはできない。
【００３２】
さらに、上述した段差部用手すり１００を構成する各部品は、スチール素材或いは合成樹脂素材等の適宜な素材で構成されるが、ベース板１５０は安定性確保のためにスチール素材を使用することが好ましい。
【００３３】
なお、上述した説明では段差部として玄関等の上がり框ＡＫを例として挙げたが、本発明に係る段差部用手すり１００の設置場所はこれに限定されるものではなく、他の段差部であってもよいことはいうまでもない。
【符号の説明】
【００３４】
１００    段差部用手すり
１１０Ａ  第１の下面側垂直支柱部
１１０Ｂ  第２の下面側垂直支柱部
１２０    上面側垂直支柱
１３０    上側横手すり部
１４０    スライド式横手すり部
【図１】
2014062429.tif 000003
【図２】
2014062429.tif 000004
【図３】
2014062429.tif 000005
【図４】
2014062429.tif 000006